(57)【要約】      （修正有）【課題】所有者の意図が視認できる傘及び傘立てを提供する。【解決手段】傘１は、傘布１０と、傘布を支える骨２０と、骨に連なる中棒３０に設けられる手元４０と、を備える傘であって、第１状態を示す表示と第２状態を示す表示とを切り換え表示自在な第１表示部６０を備える。傘立て１００は、第１状態を示す表示６１又は前記第２状態を示す表示６２を表示する第４表示部９０を備える。【選択図】図１
0003205799.tif 000002
【実用新案登録請求の範囲】
【請求項１】
傘布と、当該傘布を支える骨と、当該骨に連なる中棒に設けられる手元と、を備える傘であって、
第１状態を示す表示と第２状態を示す表示とを切り換え表示自在な第１表示部を備えることを特徴とする傘。
【請求項２】
前記第１状態は、前記傘がフリーユース状態であり、前記第２状態は、前記傘がパーソナルユース状態であることを特徴とする請求項１に記載の傘。
【請求項３】
前記手元は、前記第１表示部を備えることを特徴とする請求項１又は請求項２に記載の傘。
【請求項４】
前記手元は、他の傘と識別可能にするための識別マーク又は識別記号を表示する第２表示部を、前記第１表示部とは異なる所に備えることを特徴とする請求項１から請求項３のいずれか１項に記載の傘。
【請求項５】
前記傘布は、当該傘がフリーユース状態を示す表示、宣伝若しくは広告又はメッセージを表示する第３表示部を備えることを特徴とする請求項１から請求項４のいずれか１項に記載の傘。
【請求項６】
請求項１から請求項５のいずれか１項に記載の傘用の傘立てであって、前記第１状態を示す表示又は前記第２状態を示す表示を表示する第４表示部を備えることを特徴とする傘立て。
【請求項７】
傘布と、当該傘布を支える骨と、当該骨に連なる中棒に設けられる手元と、を備える傘であって、
前記傘はフリーユース状態を示す表示が貼られる第５表示部を備えることを特徴とする傘。
【考案の詳細な説明】
【技術分野】
【０００１】
本考案は、傘及び傘立てに関するものである。
【背景技術】
【０００２】
従来から、いわゆるビニール傘のような比較的低廉な傘は、しばらく使用した後に、その傘の所有者により意図的に傘立て等に放置され、使い捨てにされることがある。
しかしながら、このような傘は、その傘自体を見ても、所有者がその傘をまだ利用しているのか、置き忘れたのか、使い捨てにしたのかの意図はわからないので、拾得者はリユースをためらうことがあり、廃棄するにしてもしばらく拾得物として管理する手間がかかるという問題があった。
特許文献１には、他の人の傘との識別をしやすくし、また、置き忘れたりして紛失しても、傘が返ってくる可能性を高めるため、傘の柄にネームラベルを付け、そこに名前や住所や電話番号を書いた傘が示されている。
しかしながら、このような傘は、所有者が置き忘れたことによって傘立て等に放置されたとしても、ネームラベルが付けられているので、所有者によって使い捨てにされたとはいい難く、拾得者は、すぐにリユースすることはできず、しばらく拾得物として管理する手間がかかるという問題があった。
【先行技術文献】
【特許文献】
【０００３】
【特許文献１】実開平７−１１９号公報
【考案の概要】
【考案が解決しようとする課題】
【０００４】
そこで、本考案は、上記問題点に鑑みなされたものであって、所有者の意図が視認できる傘及び傘立てを提供することを目的とする。
【課題を解決するための手段】
【０００５】
上記目的を達成するために、以下の構成によって把握される。
本考案である傘は、
（１）傘布と、当該傘布を支える骨と、当該骨に連なる中棒に設けられる手元と、を備える傘であって、第１状態を示す表示と第２状態を示す表示とを切り換え表示自在な第１表示部を備える。
【０００６】
上記（１）の構成において、
（２）前記第１状態は、前記傘がフリーユース状態であり、前記第２状態は、前記傘がパーソナルユース状態である。
【０００７】
上記（１）又は（２）の構成において、
（３）前記手元は、前記第１表示部を備える。
【０００８】
上記（１）から（３）のいずれかの構成において、
（４）前記手元は、他の傘と識別可能にするための識別マーク又は識別記号を表示する第２表示部を、前記第１表示部とは異なる所に備える。
【０００９】
上記（１）から（４）のいずれかの構成において、
（５）前記傘布は、当該傘がフリーユース状態を示す表示、宣伝若しくは広告又はメッセージを表示する第３表示部を備える。
【００１０】
上記（１）から（５）のいずれかの構成における傘用の傘立てであって、
（６）前記第１状態を示す表示又は前記第２状態を示す表示を表示する第４表示部を備える。
【００１１】
本考案である傘は、
（７）傘布と、当該傘布を支える骨と、当該骨に連なる中棒に設けられる手元と、を備える傘であって、前記傘はフリーユース状態を示す表示が貼られる第５表示部を備える。
【考案の効果】
【００１２】
本考案によれば、所有者の意図が視認できる傘及び傘立てを提供できる。
【図面の簡単な説明】
【００１３】
【図１】第１実施形態に係る傘の説明図である。
【図２】同上実施形態に係る傘の手元の拡大図である。
【図３】同上実施形態に係る傘用の傘立ての変形例を示す図である。
【考案を実施するための形態】
【００１４】
以下、図面を参照して本考案を実施するための第１の形態（以下、第１実施形態）について詳細に説明する。
【００１５】
（第１実施形態）
図１（ａ）は第１実施形態に係る傘が開いた状態を示す図であり、図１（ｂ）は同実施形態に係る傘が閉じた状態を示す図であり、図１（ｃ）は同実施形態に係る傘を傘立てに立てかけた状態を示す図である。
以下、傘１を詳細に説明する。
【００１６】
図１（ａ）に示すように、傘１は、傘布１０と、傘布１０を支える骨２０と、骨２０に連なる中棒３０に設けられ、開傘時や閉傘時に持ち手となる手元４０と、閉傘時に傘布１０の外周に巻きつけるバンド５０を備える。
そして、手元４０には、第１表示部６０が設けられ、第１表示部６０が設けられる所とは異なる所に、他の傘と識別可能にするための識別マーク又は識別記号を表示する第２表示部７０が設けられる。
また、傘布１０の表面には、第３表示部８０が設けられる。
以下、各表示部を順に説明する。
【００１７】
（第１表示部）
図２は手元４０の拡大図を示す。
図２に示すように、傘１の手元４０には、第１表示部６０が設けられており、第１表示部６０には、パーソナルユース状態（第１状態）を示す表示６１又はフリーユース状態（第２状態）を示す表示６２が切り換え表示自在に表示される。
具体的には、第１表示部６０には、矩形の枠の中が赤色に着色され、その中に「ＰＥＲＳＯＮＡＬ」という文字列が表示されることで、パーソナルユース状態を示す表示６１が表示される。パーソナルユース状態とは、傘１が、特定の人に所有されて、誰もが自由に利用できないようにした状態を意味する。パーソナルユース状態を示す表示６１の表面には、面ファスナーが設けられている。
これとは別に、傘１には、矩形の枠の中が緑色に着色され、その中に「ＦＲＥＥ  ＵＳＥ」という文字列が表面に記され、裏面に面ファスナーを備えた、シート状のフリーユース状態（第２状態）を示す表示６２が備えられている。フリーユース状態とは、傘１が、一般の人に共有されて、誰もが自由に利用できるようにした状態を意味する。
そして、面ファスナーを裏面に有するシート状のフリーユース状態を示す表示６２が、パーソナルユース状態を示す表示６１を覆うようにして、パーソナルユース状態を示す表示６１に対して着脱自在に設けられる。
このように、第１表示部６０は、パーソナルユース状態を示す表示６１とフリーユース状態を示す表示６２とを切り換え表示自在となっている。
第１表示部６０を手元４０に設けたので、特に、傘１を手元４０が上になるようにして置いたときに、第１表示部６０を視認しやすい。
上記の構成とすることにより、傘１をフリーユース状態で使用する際には、シート状のフリーユース状態を示す表示６２をパーソナルユース状態を示す表示６１を覆うように付着して、フリーユース状態を示す表示６２を視認させ、傘１をパーソナルユース状態で使用する際には、シート状のフリーユース状態を示す表示６２を離脱して、パーソナルユース状態を示す表示６１を視認させることができる。
なお、パーソナルユース状態を示す表示６１は、矩形の枠の中が赤色に着色され、その中に「ＰＥＲＳＯＮＡＬ」という文字列が表示されたものに限らず、視認することでそれがパーソナルユース状態であることがわかるものであれば、何でもよい。フリーユース状態を示す表示６２についても同様である。
【００１８】
（第２表示部）
傘１の手元４０には、他の傘と識別可能にするための識別マーク又は識別記号を表示する第２表示部７０を、第１表示部６０とは異なる所に備える。
識別マーク又は識別記号としては、所有者の姓名のイニシャル等が例として挙げられる。
傘１が第２表示部７０を備えることで、他の傘と識別することができるので、誤って他の傘を使用してしまうことがない。
また、傘１が第２表示部７０を手元４０に備えることにより、特に、傘１を手元４０が上になるようにして置いたときに、第２表示部７０を視認しやすい。
さらに、第２表示部７０は第１表示部６０とは異なる所に備えられるので、第１表示部６０と混同して視認が困難となるおそれがない。
【００１９】
（第３表示部）
図１（ａ）に示すように、傘布１０は、傘１がフリーユース状態を示す表示６２、宣伝若しくは広告８２又はメッセージ８３を表示する第３表示部８０を備える。
傘１がフリーユース状態を示す表示６２は、例えば、「ＦＲＥＥ  ＵＳＥ」という文字列であり、宣伝若しくは広告８２は、傘１のスポンサーの名称等を示す文字列やマークであり、メッセージ８３は、例えば、「ＷＥＬＣＯＭＥ  ＴＯ  ＴＯＫＹＯ」等の文字列である。
【００２０】
次に、上述の傘１用の傘立て１００について説明する。
図１（ｃ）に示すように、傘立て１００は、立体的なフレームの上部開口に、複数の区画を構成する格子状体が設けられており、各区画は、傘１が挿通自在な大きさである。
【００２１】
（第４表示部）
傘立て１００には、上部の視認され易い位置に、パーソナルユース状態（第１状態）を示す表示６１と、フリーユース状態（第２状態）を示す表示６２を表示する第４表示部９０が設けられる。
このように、傘立て１００に設けられる第４表示部９０に表示される表示を、傘１に設けられるパーソナルユース状態を示す表示６１又はフリーユース状態を示す表示６２と同じ表示とすることで、傘１の使用者が傘立て１００に傘１を置く際に、傘１の状態に応じて、傘１を分けて置くことができる。そして、次の使用者が傘１を使用する際に、傘１の状態に応じて、簡単に区別して取り出すことができる。
なお、図３（左図は傘立て１００の上部にフリーユース状態を示す表示６２を表示し、右図は傘立て１００の上部にパーソナルユース状態を示す表示６１を表示する。）に示すように、傘１用の傘立て１００に設けられる第４表示部９０には、パーソナルユース状態を示す表示６１とフリーユース状態を示す表示６２のいずれか一方のみを表示してもよい。
このようにすることによっても、傘１の使用者が傘立て１００に傘１を置く際に、傘１の状態に応じて、傘１を分けて置くことができる。
【００２２】
（第２実施形態）
次に、本考案を実施するための第２の形態（以下、第２実施形態）について詳細に説明する。
第１実施形態と第２実施形態との差異は、第１実施形態が第１状態を示す表示と第２状態を示す表示とを切り換え表示自在な第１表示部を有するのに対して、第２実施形態はフリーユース状態を示す表示６２が貼られる第５表示部を有する点であるので、以下では、主に、第５表示部について説明する。
（第５表示部）
傘１の手元４０の表面には、図示しない第５表示部が設けられており、第５表示部には、フリーユース状態を示す表示６２が貼られる。
具体的には、第５表示部には、矩形の枠の中が緑色に着色され、その中に「ＦＲＥＥ  ＵＳＥ」という文字列が表面に記され、裏面に接着面を備えた、シート状のフリーユース状態を示す表示６２が貼られる。
このようにして、第５表示部は、フリーユース状態を示す表示６２を表示する。
第５表示部を手元４０に設けたので、特に、傘１を手元４０が上になるようにして置いたときに、第５表示部を視認しやすい。
上記の構成とすることにより、傘１をパーソナルユース状態で使用する際には、第５表示部に何も貼り付けない状態とし、傘１をフリーユース状態で使用する際には、シート状のフリーユース状態を示す表示６２を手元４０の表面に貼ることで、フリーユース状態を示す表示を視認させることができる。
なお、シート状のフリーユース状態を示す表示６２は、例えば、ステッカーやシールのようなものであり、手元４０の表面に貼り付ける態様は、接着剤によるものに限らず、面ファスナーによるものでもよい。
【００２３】
（変形例）
以上、本考案の実施形態を説明したが、本考案に係る傘は上述した実施形態に限られるものではない。いくつかの変形例を以下に挙げる。
例えば、上記実施例においては、傘１が備える第１表示部６０に設けられるパーソナルユース状態を示す表示６１を覆うようにして、フリーユース状態を示す表示６２をパーソナルユース状態を示す表示６１に対して着脱自在に設けたが、その逆にしてもよい。
すなわち、傘１が備える第１表示部６０に設けられるフリーユース状態を示す表示６２を覆うようにして、パーソナルユース状態を示す表示６１をフリーユース状態を示す表示６２に対して着脱自在に設けてもよい。
その際、第１表示部６０に設けられたパーソナルユース状態を示す表示６１の表面を覆う透明な覆いを設け、その覆いに覆われるようにして、パーソナルユース状態を示す表示６１の表面と覆いとの間に、シート状のフリーユース状態を示す表示６２を着脱自在に挿入できるような構成としてもよく、その逆でもよい。
透明な覆いに換えて、パーソナルユース状態を示す表示６１又はフリーユース状態を示す表示６２を出し入れ自在な大きさのスリットとパーソナルユース状態を示す表示６１及びフリーユース状態を示す表示６２を外部から視認するための透明部分を有する袋としてもよい。
【００２４】
傘１が備える第１表示部６０に対して、着脱自在なシート状のパーソナルユース状態を示す表示６１と着脱自在なシート状のフリーユース状態を示す表示６２とを付け替えるようにしてもよい。
【００２５】
傘１が備える第１表示部６０に対して、表面にパーソナルユース状態を示す表示６１を表示し、裏面にフリーユース状態を示す表示６２を表示したシート体を、着脱自在に設けてもよい。これにより、シート体の表裏を逆にして着脱することで、表示を切り換えることができる。
【００２６】
傘１が備える第１表示部６０に設けられた溝に対して、表面の一部にパーソナルユース状態を示す表示６１が表示され、表面の他部にフリーユース状態を示す表示６２が表示された回転体を脱落することなく回転自在に収容し、その溝の開口を、外部からパーソナルユース状態を示す表示６１とフリーユース状態を示す表示６２のいずれか一方の表示が視認できる大きさの開口窓とする構成としてもよい。
これにより、回転体を回転させて、開口窓の位置に、パーソナルユース状態を示す表示６１を表示又はフリーユース状態を示す表示６２を合わせることで、傘１の状態を外部から視認できるように、切り換えることができる。
【００２７】
また、パーソナルユース状態を示す表示６１を文字列のない緑色一色とし、フリーユース状態を示す表示６２を文字列のない赤色一色として、切り換え表示自在にすることで、緑色と赤色のそれぞれの色から連想されるイメージを切り換えられるようにしてもよい。
【００２８】
傘布１０を支える骨２０の数は、通常８本であるが、８本より少ない６本や４本としてもよい。このように、骨２０の数を少なくすることで、隣り合う骨２０，２０間にある傘布１０の面積を増すことができるので、第３表示部８０を表示する面積が大きくなり、宣伝又は広告８２を目立たすことができる。
【００２９】
（使用例）
以下に、本考案の実施形態に係る傘１の使用例を示す。
傘１の所有者（使用者）が傘１を使用する場合は、傘１の第１表示部６０にパーソナルユース状態を示す表示６１が表示された状態にする。
傘１の使用をやめ、使い捨てにする場合は、傘１の第１表示部６０の表示を切り換えて、フリーユース状態を示す表示６２が表示された状態にし、傘立て１００におけるフリーユース状態を示す表示６２の近傍に立てかける。
これにより、傘１を見たときに、傘１にフリーユース状態を示す表示６２が表示されているので、その傘１がフリーユース状態であることを視認でき、傘１をためらうことなくすぐにリユースできる。
さらに、傘立て１００のフリーユース状態を示す表示６２の近傍に傘１が立てかけられるので、傘立て１００を見たときに、その傘１がフリーユース状態であることを視認でき、傘１をためらうことなくすぐにリユースできる。
【００３０】
また、企業や公共団体が傘１をフリーユース状態で提供するような場合は、傘１の第１表示部６０にフリーユース状態を示す表示６２が表示された状態にする。
そして、その傘１を公共の場所に設置された傘立て１００におけるフリーユース状態を示す表示６２の近傍に立てかけておく。
これにより、傘立て１００を見たときに、その傘１がフリーユース状態であることを視認でき、傘１をためらうことなくすぐにリユースできる。
なお、拾得者は、フリーユース状態を示す表示６２が表示された状態の傘１を拾得した後、パーソナルユース状態を示す表示６１に切り換えて表示してもよい。これにより、傘１がフリーユースされることを抑制できる。
【００３１】
本考案によれば、第１状態を示す表示と第２状態を示す表示とを切り換え表示自在な第１表示部を備えるので、所有者の意図を即座に表示に反映して、傘の状態が視認できるようになる。これにより、拾得者は、すぐにリユースすることができ、拾得物として管理する手間を抑制することができる。
【００３２】
本考案によれば、第１状態が、傘がフリーユース状態であり、第２状態が、傘がパーソナルユース状態であるので、傘の状態を視認することができ、拾得物として管理する手間を抑制できる。
【００３３】
本考案によれば、手元が第１表示部を備えるので、手元が上になる状態で傘を置いたときに、第１表示部が視認され易い。
【００３４】
本考案によれば、他の傘と識別可能にするための識別マーク又は識別記号を表示する第２表示部を、第１表示部とは異なる所に備えたので、目的の異なる第１表示部と第２表示部を混同することなく視認させることができ、傘がプライベートユース状態又はフリーユース状態であっても、第１表示部を備える他の傘と識別できる。
【００３５】
本考案によれば、傘布に、傘がフリーユース状態を示す表示、宣伝若しくは広告又はメッセージを表示する第３表示部を備えたので、各表示の注目度が高まって視認され易くなり、リユースを促進できる。
【００３６】
本考案によれば、傘に表示された内容と同内容が傘立てに表示されるので、傘立ての表示に応じて、傘を分別して置くことができ、リユースを促進できる。
【００３７】
本考案によれば、拾得してすぐに、リユースするか拾得物として管理するかの判断ができるので、交通機関等の公共施設における傘の忘れ物の拾得物管理にかかる相当な手間を抑制できる。
【００３８】
本考案によれば、傘がフリーユース状態を示す表示が貼られる第５表示部を備えるので、フリーユース状態を示す表示を貼るだけで、すぐにその傘をリユースに供することができる。
【００３９】
本考案によれば、傘のリユースを促進し、資源の節約ができるので、地球環境の改善に貢献できるだけではなく、訪日外国人旅行者の満足度を上げることができ、経済に貢献できる。
【符号の説明】
【００４０】
１    傘
１０  傘布
２０  骨
３０  中棒
４０  手元
５０  バンド
６０  第１表示部
６１  パーソナルユース状態（第１状態）を示す表示
６２  フリーユース状態（第２状態）を示す表示
７０  第２表示部
８０  第３表示部
８２  広告
８３  メッセージ
９０  第４表示部
【図１】
0003205799.tif 000003
【図２】
0003205799.tif 000004
【図３】
0003205799.tif 000005